(57)【要約】【課題】ヒンジ部付近にアンテナが配設された仕様であって、筐体が開いた状態でも無線性能を維持できる折り畳み式無線端末装置を提供することである。【解決手段】受話部を有する上部筐体と、送話部を有する下部筐体と、下部筐体に設けられたアンテナと、上部筐体内に配設される金属製の上部シャーシ１５のヒンジ部１５ａ、１５ｂと、下部筐体内に配設される金属製の下部シャーシ１７のヒンジ部１７ａ〜１７ｃと、ヒンジ部１５ａ、１５ｂ、１７ａ〜１７ｃを結合する樹脂製のヒンジユニット１９と、樹脂製のワッシャ２０ａ、２０ｂを備え、上部シャーシ１５と下部シャーシ１７とが電気的に絶縁された構成とする。【選択図】      図４
2004304744.tif 000002
【特許請求の範囲】
【請求項１】
受話部を有する上部筐体と送話部を有する下部筐体とがヒンジを軸に相互に回転して開閉可能に構成された折り畳み式無線端末装置において、前記ヒンジは、上部筐体内に配設される金属製の上部シャーシのヒンジ部と下部筐体内に配設される金属製の下部シャーシのヒンジ部とを結合するヒンジユニットを有し、前記上部シャーシと前記下部シャーシとが電気的に絶縁されたことを特徴とする折り畳み式無線端末装置。
【請求項２】
受話部を有する上部筐体と送話部を有する下部筐体とがヒンジを軸に相互に回転して開閉可能に構成され、伸縮可能なアンテナが前記下部筐体に設けられた折り畳み式無線端末装置において、
前記ヒンジは、上部筐体内に配設される金属製の上部シャーシのヒンジ部と下部筐体内に配設される金属製の下部シャーシのヒンジ部とを結合するヒンジユニットを有し、前記アンテナは前記両筐体が開かれた状態で略上部筐体の方向に伸長するように配設され、前記上部シャーシと前記下部シャーシとが電気的に絶縁されたことを特徴とする折り畳み式無線端末装置。
【請求項３】
前記上部シャーシと前記下部シャーシとを電気的に絶縁するように、前記上部シャーシ又は前記下部シャーシと接触する前記ヒンジユニットの取り付け部が絶縁材で構成されることを特徴とする請求項１又は２記載の折り畳み式無線端末装置。
【請求項４】
前記上部シャーシと前記下部シャーシとを電気的に絶縁するように、前記上部シャーシのヒンジ部と前記下部シャーシのヒンジ部とが接触しないように絶縁材からなるインシュレータが挿入されることを特徴とする請求項１記載の折り畳み式無線端末装置。
【請求項５】
受話部を有する上部筐体と送話部を有する下部筐体とがヒンジを軸に相互に回転して開閉可能に構成され、アンテナが前記下部筐体に設けられた折り畳み式無線端末装置において、
前記上部筐体内に配設される上部シャーシのヒンジ部と前記下部筐体内に配設される下部シャーシのヒンジ部とを結合するヒンジユニット付近にアンテナが配設され、少なくとも前記上部シャーシ又は前記下部シャーシの一方が絶縁材で構成されることを特徴とする折り畳み式無線端末装置。
【発明の詳細な説明】
【０００１】
【発明の属する技術分野】
本発明は、受話部を有する上部筐体と送話部を有する下部筐体とがヒンジを軸に相互に回転して開閉可能に構成され、アンテナが前記下部筐体に設けられた折り畳み式無線端末装置に関するものである。
【０００２】
【従来の技術】
携帯電話機に代表される無線端末装置の一形態として折り畳み式の装置がある。その構成として例えば、特許文献１の折り畳み式携帯電話機が挙げられる。この折り畳み式携帯電話機は、受話部を備える第１の筐体と送話部を備える第２の筐体とがヒンジを軸に相互に回転して折り畳み可能に構成され、第１の筐体及び第２の筐体の外観部品として金属部品以外の部品を使用し、且つ第１の筐体及び第２の筐体の骨組みとしてヒンジ部が一体に設けられたシャーシを備え、シャーシを金属部品で構成したものである。
【０００３】
図５（ａ）は２つのシャーシ１０１、１０２を分解した状態の斜視図であり、図５（ｂ）は２つのシャーシ１０１、１０２を組立てた状態の斜視図である。上シャーシ１０１と下シャーシ１０２がヒンジ１０３で回転可能に固定されている。ヒンジ部１０４で上シャーシ１０１と下シャーシ１０２とが接触している、即ち、上シャーシ１０１と下シャーシ１０２とは電気的に接続されている状態である。
【０００４】
【特許文献１】
特開２００２−５１１３１号公報
【０００５】
【発明が解決しようとする課題】
特許文献１のように、上下のシャーシ１０１、１０２を金属で形成することにより十分な強度と剛性が得られる。しかしながら、製品の仕様上、第２の筐体のヒンジ部付近にアンテナを配設する場合、筐体を開いた使用状態では、アンテナが第１の筐体に遮蔽される。このとき上シャーシと下シャーシとが電気的に接続されていると、下シャーシ１０２に配設された無線回路基板と、金属のシャーシの静電容量結合によるアンテナのゲイン劣化が生じ、無線性能が低下する。
【０００６】
本発明は、上記の問題点に鑑み、ヒンジ部付近にアンテナが配設された仕様であって、筐体が開いた状態でも無線性能を維持できる折り畳み式無線端末装置を提供することを目的とする。
【０００７】
【課題を解決するための手段】
上記目的を達成するために本発明は、受話部を有する上部筐体と送話部を有する下部筐体とがヒンジを軸に相互に回転して開閉可能に構成され、伸縮可能なアンテナが前記下部筐体に設けられた折り畳み式無線端末装置において、前記ヒンジは、上部筐体内に配設される金属製の上部シャーシのヒンジ部と下部筐体内に配設される金属製の下部シャーシのヒンジ部とを結合するヒンジユニットを有し、前記アンテナは前記両筐体が開かれた状態で略上部筐体の方向に伸長するように配設され、前記上部シャーシと前記下部シャーシとが電気的に絶縁されたことを特徴とするものである。
【０００８】
この構成によると、使用時に上部筐体と下部筐体とを開いた状態では、アンテナは上部筐体によって遮蔽されるが、両筐体内の上部シャーシと下部シャーシが絶縁されているので、静電容量の結合が生じないので電波が遮蔽されずにアンテナのゲインが維持される。従って、上下部の筐体が開いた状態でも無線性能を維持することができる。
【０００９】
前記上部シャーシと前記下部シャーシとを電気的に絶縁するように、前記上部シャーシ又は前記下部シャーシと接触する前記ヒンジユニットの取り付け部を絶縁材で構成することができる。
【００１０】
これにより、ヒンジユニットを介して上部シャーシと下部シャーシとが電気的に接続されることを防止している。なお、ヒンジユニット自体を絶縁材で形成しても構わない。
【００１１】
また上記の折り畳み式無線端末装置において、前記上部シャーシと前記下部シャーシとを電気的に絶縁するように、前記上部シャーシのヒンジ部と前記下部シャーシのヒンジ部とが接触しないように絶縁材からなるインシュレータを挿入することができる。
【００１２】
これにより、上部シャーシ１５と下部シャーシ１７とが接触すること、つまり電気的に接続されることを防止している。
【００１３】
また本発明は、受話部を有する上部筐体と送話部を有する下部筐体とがヒンジを軸に相互に回転して開閉可能に構成され、アンテナが前記下部筐体に設けられた折り畳み式無線端末装置において、前記上部筐体内に配設される上部シャーシのヒンジ部と前記下部筐体内に配設される下部シャーシのヒンジ部とを結合するヒンジユニット付近にアンテナが配設され、少なくとも前記上部シャーシ又は前記下部シャーシの一方が絶縁材で構成されることを特徴とするものである。
【００１４】
この構成によると、部品点数を増やすことなく両シャーシを絶縁することができ、無線性能を維持することができる。
【００１５】
【発明の実施の形態】
以下に本発明の実施形態について図面を参照して説明する。図１は携帯電話機の外観斜視図、図２は図１の内部構成を示す斜視図、図３は上部シャーシ、下部シャーシ、ヒンジユニットを示す斜視図、図４は図３のＡ−Ａ線断面図である。
【００１６】
本実施形態においては折り畳み式無線端末装置として折り畳み式携帯電話機を例に説明する。
【００１７】
図１に示すように、携帯電話機１０の外観構成は、受話部（不図示）を有する上部筐体１１と送話部（不図示）を有する下部筐体１２とがヒンジ１３を軸に相互に回転して開閉可能に構成され、アンテナ１４が下部筐体１２の背面上部に設けられている。
【００１８】
そして携帯電話機１０の内部構成は、図２に示すように、上部筐体１１内に配設される上部シャーシ１５と、上部シャーシ１５に固定される上部基板１６と、下部筐体１２内に配設される下部シャーシ１７と、下部シャーシ１７に固定される下部基板１８と、上部シャーシ１５のヒンジ部（後述）と下部シャーシ１７のヒンジ部（後述）とを結合するヒンジユニット１９等からなる。なお、上部筐体１１内には受話部や液晶表示部も設けられ、下部筐体１２内には送話部や、操作部、制御部、カメラ等も設けられる。
【００１９】
次に、上部シャーシ１５と下部シャーシ１７とヒンジユニット１９の構成について、図３及び図４を参照して詳しく説明する。ヒンジユニット１９は、棒状の軸であり、上部シャーシ１５のヒンジ部１５ａ、１５ｂと下部シャーシ１７のヒンジ部１７ａ〜１７ｃを貫通している。このヒンジユニット１９により上部シャーシ１５と下部シャーシ１７とが回転可能に支持される。つまり、上部筐体１１と下部筐体１２が相互に回転して開閉可能となる。
【００２０】
ここで、上部シャーシ１５及び下部シャーシ１７は金属製とすることが強度、剛性の面から望ましい。またヒンジユニット１９の材料としては、金属を用いることが強度、剛性の面から望ましいが、上部シャーシ１５及び下部シャーシ１７に接触する部材（取り付け部）１９ａ〜１９ｄには絶縁材を用いる。これにより、ヒンジユニット１９を介して上部シャーシ１５と下部シャーシ１７とが電気的に接続されることを防止している。なお、ヒンジユニット１９自体を絶縁材で形成しても構わない。
【００２１】
また、上部シャーシ１５と下部シャーシ１７とが接触する部分には絶縁材からなるインシュレータが挿入される。図４ではワッシャ２０ａにより上部シャーシ１５のヒンジ部１５ａと下部シャーシ１７のヒンジ部１７ａとが絶縁され、ワッシャ２０ｂにより上部シャーシ１５のヒンジ部１５ｂと下部シャーシ１７のヒンジ部１７ｃとが絶縁される。これにより、上部シャーシ１５と下部シャーシ１７とが接触すること、つまり電気的に接続されることを防止している。
【００２２】
なお、本発明で用いる絶縁材としては強度、耐久性、コストの面から樹脂を用いることが好ましい。
【００２３】
このように、上部シャーシ１５及び下部シャーシ１７が金属製である場合に、ヒンジユニット１９の少なくとも上下シャーシに接触する部分や、上下シャーシどうしが接触する部分に絶縁材を用いることにより、上部シャーシ１５と下部シャーシ１７を電気的に切断できる。
【００２４】
その結果、携帯電話機１０を使用するために上部筐体１１と下部筐体１２とを開いた状態では、アンテナ１４は上部筐体１１によって遮蔽されるが、両筐体内の上部シャーシ１５と下部シャーシ１７とが絶縁されているので、静電容量の結合が生じないので電波が遮蔽されずにアンテナのゲインが維持される。
【００２５】
従って、携帯電話機１０は上下部の筐体１５、１７が開いた状態でも無線性能を維持することができる。
【００２６】
また、上部シャーシ１５と下部シャーシ１７とを電気的に絶縁する他の形態として、すくなくとも一方のシャーシを絶縁材で構成してもよい。このとき、ヒンジユニット１９は金属又は絶縁材のどちらを用いても構わない。なお、この場合インシュレータは必要としない。
【００２７】
例えば、上部シャーシ１５を金属製、下部シャーシ１７を樹脂製とすることができる。この場合、両シャーシが金属製で接触している場合と比較して、携帯電話機１０を開いた状態では、アンテナ１４のゲインが約−７．８ｄＢｄから約−１．４ｄＢｄへ約６．４ｄＢｄ向上した。これは一般に無線性能として必要な−２ｄＢｄを超えており、使用上問題ないレベルである。
【００２８】
この構成によると、部品点数を増やすことなく両シャーシを絶縁することができ、無線性能を維持することができる。
【００２９】
本発明の折り畳み式無線端末装置は、携帯電話機をはじめ、各種無線通信装置に適用することができる。
【００３０】
【発明の効果】
本発明によれば、金属製の上部シャーシと金属製の下部シャーシとが電気的に絶縁されるので、使用時に上部筐体と下部筐体とを開いた状態では、アンテナは上部筐体によって遮蔽されるが、両シャーシの静電容量の結合が生じないので電波が遮蔽されずにアンテナのゲインが維持される。従って、上下部の筐体が開いた状態でも無線性能を維持することができる。
【００３１】
また本発明によれば、少なくとも上部シャーシ又は下部シャーシの一方が絶縁材で構成されることにより、部品点数を増やすことなく両シャーシを絶縁することができ、無線性能を維持することができる。
【図面の簡単な説明】
【図１】本発明の携帯電話機の外観斜視図である。
【図２】図１の内部構成を示す斜視図である。
【図３】本発明の上部シャーシ、下部シャーシ、ヒンジユニットを示す斜視図である。
【図４】図３のＡ−Ａ線断面図である。
【図５】（ａ）従来のヒンジを取り外した状態における上シャーシと下シャーシの構造を示した斜視図である。
（ｂ）従来のヒンジを取り付けて上シャーシと下シャーシを結合した構造を示した斜視図である。
【符号の説明】
１１    上部筐体
１２    下部筐体
１３    ヒンジ
１４    アンテナ
１５    上部シャーシ
１７    下部シャーシ
１９    ヒンジユニット
２０ａ、２０ｂ    ワッシャ（インシュレータ）
【図１】
2004304744.tif 000003
【図２】
2004304744.tif 000004
【図３】
2004304744.tif 000005
【図４】
2004304744.tif 000006
【図５】
2004304744.tif 000007